(57)【要約】【課題】本発明は焼却設備等における集塵装置に使用されるバグフィルタに関し、必要に応じた長さの継ぎ足しや部分的な交換を容易かつ確実かつ迅速に行ない得るようにすることを目的とする。【解決手段】  バグフィルタは、隣接したフィルタ部分間が着脱可能な圧嵌構造の連接具１８によって直列接続される。連接具１８は、高剛性の金属性保持リング３２と、薄肉金属帯材より成る低剛性のスナップリング３４とから構成される。保持リング３２、スナップリング３４は、夫々、連接布36, 42に包囲かつ縫着され、かつ連接布36, 42の端部は、夫々、隣接したフィルタ部分におけるフィルタ布２０に縫着されている。保持リング３２に対してスナップリング３４をその弾性に抗して潜り抜けさせ、保持リング３２、スナップリング３４を介した係合によって隣接するフィルタ部分同士の連接状態を得る。【選択図】図６
2019042677.tif 000002
【特許請求の範囲】
【請求項１】
バグフィルタの構造であって、バグフィルタの少なくとも一部が着脱可能な連接具によって直列接続して構成され、バグフィルタが少なくとも部分的に交換可能とされたバグフィルタ。
【請求項２】
請求項１に記載の発明において、前記連接具は、隣接するフィルタ部分の片側におけるフィルタ布に取り付けられた高剛性の第１の環状金属部材と、隣接するフィルタ部分の反対側におけるフィルタ布に取り付けられ、その弾性に抗して第１の環状金属部材の内径部を潜り抜けさせ得る大きさの外径部を有した低剛性の第２の環状金属部材とから成り、第２の環状金属部材をして第１の環状金属部材を潜り抜けさせた状態における第１の環状金属部材と第２の環状金属部材を介してのフィルタ部分同士の係合により、隣接するフィルタ部分を相互連結するバグフィルタ。
【請求項３】
請求項２に記載の発明において、前記第１の環状金属部材は実質的に円形断面のリング状をなし、第１の連接布に包着されており、第１の連接布は隣接するフィルタ部分の片側におけるフィルタ布の端部に縫着されており、前記第２の環状金属部材は薄肉の帯状素材を環状に成形して成りかつ第２の連接布に包着されており、第２の連接布は隣接するフィルタ部分の反対側におけるフィルタ布の端部に縫着されているバグフィルタ。
【請求項４】
請求項１に記載の発明において、バグフィルタは、複数のフィルタ部分に分割され、前記着脱可能な連接具は隣接するフィルタ部分間を着脱自在に連結したバグフィルタ。
【請求項５】
請求項４に記載の発明において、バグフィルタは、バグフィルタの全体を構成する各フィルタ部分がモジュール化されたバグフィルタ。
【請求項６】
請求項４若しくは５に記載の発明において、前記連接具は、隣接するフィルタ部分の片側におけるフィルタ布に取り付けられた高剛性の第１の環状金属部材と、隣接するフィルタ部分の反対側におけるフィルタ布に取り付けられ、その弾性に抗して第１の環状金属部材の内径部を潜り抜けさせ得る大きさの外径部を有した低剛性の第２の環状金属部材とから成り、第２の環状金属部材をして第１の環状金属部材を潜り抜けさせた状態における第１の環状金属部材及び第２の環状金属部材を介してのフィルタ部分同士の係合により、隣接するフィルタ部分を相互連結するバグフィルタ。
【請求項７】
請求項６に記載の発明において、前記第１の環状金属部材は実質的に円形断面のリング状をなし、第１の連接布に包着されており、第１の連接布は隣接するフィルタ部分の片側におけるフィルタ布の端部に縫着されており、前記第２の環状金属部材は薄肉の帯状素材を環状に成形して成りかつ第２の連接布に包着されており、第２の連接布は隣接するフィルタ部分の反対側におけるフィルタ布の端部に縫着されているバグフィルタ。
【発明の詳細な説明】
【技術分野】
【０００１】
この発明は焼却設備等における集塵装置に使用されるバグフィルタに関し、必要に応じた長さの継ぎ足しや部分的な交換を容易かつ確実かつ迅速にしかも非処理ガスの確実な処理を損なうことなく行ない得るように工夫したものである。
【背景技術】
【０００２】
従来バグフィルタはそれが設置される集塵装置の仕様に合致させた長さのものとしてその製作を行なっていた。即ち、バグフィルタは焼却設備等に使用される場合は、多くは、ガラス繊維などの耐熱性繊維より成る糸条より織製して成る基布にポリテトラフルオロエチレンやポリイミド等の耐熱性繊維をニードルパンチやウオーターパンチ等により植毛して、必要な長さの筒形状に縫製してなるものである。設置される集塵装置に依拠してバグフィルタの長さも変わるため、設備に合わせて長さも変えるように製作していたのである。このような事情については特許文献１（段落０００３）に記載されている。
【０００３】
尚、以下の本発明の実施形態において説明する濾布のプリーツ形状については本出願の出願人に係る特許文献２及び３に記載されている。また、セルプレートに対するスナップリングによるワンタッチ式の取付部の構造については、特許文献３に記載されている。
【先行技術文献】
【特許文献】
【０００４】
【特許文献１】特表２０１０−２６００２０号公報
【特許文献２】特許第５７４８５４１号の明細書
【特許文献３】特許第４３８４６４４号の明細書
【発明の概要】
【発明が解決しようとする課題】
【０００５】
最近は集塵装置の大型化等によりバグフィルタの長尺化が進められており、バグフィルタ製作時の縫製作業の手間が増えてきており、また、長尺化に伴い集塵装置への取り付け作業も大変になってきている。
【０００６】
本発明は、この問題点に着目してなされたものであり、長尺のバグフィルタの要求に容易に対応することができ、かつ必要に応じて長さの継ぎ足しや修理のための部分的な交換を簡易確実に行なうことができるようにすることを目的とする。
【課題を解決するための手段】
【０００７】
この発明によれば、バグフィルタの構造であって、バグフィルタの少なくとも一部が着脱可能な圧嵌構造の連接具によって直列接続して構成されたバグフィルタが提供される。
【０００８】
バグフィルタは、複数のフィルタ部分に分割されるようにされ、着脱可能な圧嵌構造の連接具により隣接するフィルタ部分間を着脱自在に連結することができる。
【０００９】
バグフィルタは、その全体を構成する各フィルタ部分がモジュール化され、モジュールを一連に連接具により連結されることでバグフィルタを構成することができる。
【００１０】
着脱可能連接具は、隣接するフィルタ部分の片側におけるフィルタ布に取り付けられた高剛性の第１の環状金属部材と、隣接するフィルタ部分の反対側におけるフィルタ布に取り付けられ、その弾性に抗して第１の環状金属部材の内径部を潜り抜けさせ得る大きさの外径部を有した低剛性の第２の環状金属部材とから成り、第２の環状金属部材をして第１の環状金属部材を潜り抜けさせた状態における第１の環状金属部材及び第２の環状金属部材を介しての隣接するフィルタ部分同士の係合により、隣接するフィルタ部分を相互連結するようにされる。第１の環状金属部材は実質的に円形断面のリング状をなすと共に、第１の連接布に包囲かつ縫着されており、第１の連接布は隣接するフィルタ部分の片側におけるフィルタ布の端部に縫着されており、前記第２の環状金属部材は薄肉の帯状素材を環状に成形して成りかつ第２の連接布に包囲かつ縫着されており、第２の連接布は隣接するフィルタ部分の反対側におけるフィルタ布の端部に縫着される構成とすることができる。
【発明の効果】
【００１１】
バグフィルタの少なくとも一部が着脱可能な圧嵌構造の連接具によって直列接続して構成されているため、連接具の離間操作により、バグフィルタの部分的な交換や修繕が迅速かつ容易となる。
バグフィルタを複数のフィルタ部分から構成し、連結具により隣接するフィルタ部分間を一連に連結することにより、長さ変更のための継ぎ足しが容易となる。
【００１２】
バグフィルタの各部をモジュール化することにより、各モジュールをある程度の数ストックしておくことで、バグフィルタのどのような長さについてもユーザの要求に迅速に対応することができる。
【図面の簡単な説明】
【００１３】
【図１】図１は第１の実施形態におけるこの発明のバグフィルタの模式的側面図である。
【図２】図２は図１のII−II線に沿って表される矢視断面図であり、フィルタの縫着部を模式的に示すものである。
【図３】図３はバグフィルタの口元部の集塵装置のセルプレートへの装着状態を示す断面図である。
【図４】図４は最も簡略化された本発明のバグフィルタの構成を示す模式的側面図である。
【図５】図５は本発明の実施形態における連接具を分離状態（イ）にて示す長手方向断面部である。
【図６】図６は図５と同様本発明の実施形態における連接具を示す長手方向断面図であるが、連接具の合体状態（ロ）を示す。
【図７】図７は本発明の第２の実施形態としての各部を規格化（モジュール化）したこの発明のバグフィルタの模式的側面図である。
【図８】図８は第３の実施形態を示し、図７の規格化したバグフィルタのマイクロバンドによるセルプレートへの装着方式に対する応用例である。
【図９】図９は図８のIX−IX線に沿って表される矢視断面図であり、バグフィルタのマイクロバンドによる取付部の断面図である。
【図１０】図１０は本発明の第２の実施形態におけるこの発明のバグフィルタの模式的側面図であり、バグフィルタとしてプリーツ構造を採用した場合を示す。
【図１１】図１１は図１０のXI−XI線に沿って表される矢視断面図であり、プリーツの山数が多いフィルタ部分を示している。
【図１２】図１２は図１０のXII−XII線に沿って表される矢視断面図であり、プリーツの山数が少ないフィルタ部分を示している。
【発明を実施するための形態】
【００１４】
図１はこの発明のバグフィルタの１実施形態における構成を概略的に示しており、この実施形態においては、バグフィルタ１０は、口元部１２と、底部１４と、中間部１６との直列接続された３つのフィルタ部分から構成される。各フィルタ部分12, 14, 16は、バグフィルタ用途として一般的な素材にて構成することができ、一例として、ガラス繊維などの耐熱性繊維より成る糸条より織製して成る基布に、ポリテトラフルオロエチレンやポリイミド等の耐熱性繊維をニードルパンチにより植毛して構成されるフィルタ布より縫製により筒状に成形して構成することができる。筒状とするためのフィルタ布２０（図５及び図６も参照）の重ね合わせによる縫製部を図２の１７にて模式的に示す。図１の口元部１２と中間部１６との接続部及び中間部１６と底部部１４との接続部には本発明に係る圧嵌構造のワンタッチ式着脱自在の連接具１８が設置され、フィルタ部分12, 14, 16の直列接続を実現しているが、この構成については後で詳細に説明する。
【００１５】
口元部１２は、集塵装置のセルプレートへの取付具１９を備えており、取付具１９の構造としては公知の任意の手段で良いが、一例としては、本出願人になる特許文献３等と同様の構成とすることができ、図３に示すように、口元部１２を構成するフィルタ布２０の上端に金属製スナップリング２２を包み込むように口元布２４が縫糸２６により縫着される。口元部１２を上から押し込むことにより、スナップリング２２はその外周凹部22-1において、集塵装置のセルプレート２８の一つのバグフィルタ取付孔28-1にワンタッチ式に装着することができる。尚、周知のようにバグフィルタ１０の筒形状を確保するため、籠形状をなし底部部１４（図１）の底面付近まで延びる金属製のリテーナ３０がセルプレート２８の上から挿入される。
【００１６】
底部部１４は、口元部１２及び中間部１６と同様に筒状に縫製したフィルタ布により構成されるが、周知の縫製構造による閉鎖された底面部14-1 を備えている点で相違する。また、中間部１６は上下で開口した筒形状であり、図１に示す実施形態としては、一個のみ設けられるが、必要な長さが得られるように複数使用することが可能であるし、バグフィルタの必要な長さが短い場合は、図４のように、口元部１２と底部部１４との２つのフィルタ部分のみとし、中間部１６を省略することが可能であり、これは本発明に係るバグフィルタの必要最小構成を示している。
【００１７】
次に、フィルタ部分12, 14, 16間の連接具１８の構造について説明すると、図５は分離状態における連接具１８を示しており、連接具１８は、隣接するフィルタ部分の一方のフィルタ部分におけるフィルタ布２０に取り付けられた保持リング３２（本発明の高剛性の第１の環状金属部材）と、隣接するフィルタ部分の他方のフィルタ部分におけるフィルタ布２０に取り付けられたスナップリング３４（本発明の第２の環状金属部材）とからなる。保持リング３２は外径３ｍｍ程度の鋼線にて構成されているため剛性が高く、フィルタ部分12, 14, 16間の接続のための人力による圧入操作では殆ど変形を生じない。他方、スナップリング３４は、肉厚０．３ｍｍ、幅１．９ｍｍといった薄肉の帯状鋼材を環状に成形してなるもので、保持リング３２と比較して相当に低剛性であり、人力による圧入操作時に容易に変形させることができる。スナップリング３４は低剛性であってもバグフィルタの使用状態（フィルタ部分12, 14, 16の連結状態）においては、非変形の状態を維持する程度の剛性は確保している。本実施形態では保持リング３２の内径とスナップリング３４の外径とは１６６ｍｍと同一である。しかしながら、以下説明するフィルタ部分間の着脱可能連結のための圧入操作時に、保持リング３２とスナップリング３４を介したフィルタ部分の対向端部間の適切な係合連接状態を得ることができるものであれば、保持リング３２の内径とスナップリング３４の外径とは微妙に異ならせることも可能である。例えば、保持リング３２の内径に対してスナップリング３４の外径を僅か大きくしても、スナップリング３４の低剛性故に、スナップリング３４をして保持リング３２を潜り抜けさせ、スナップリング３４がその弾性により本来の外径に復帰することによりフィルタ部分間のより強固な連結状態を得るようにすることもできる。また、後述のように保持リング３２もスナップリング３４も周囲を連接布36, 42（図５及び図６）により包囲かつ縫着されているため、保持リング３２の内径よりスナップリング３４の外径が僅かであれば小さくても連接布36, 42の厚みの寄与分により、保持リング３２とスナップリング３４を介したフィルタ部分対向端部間の必要な連接強度を確保することも可能である。尚、保持リング３２及びスナップリング３４は共に鋼材製であるが、高い耐熱性が必要な場合はステンレス鋼材が好適である。
【００１８】
次に、連接具１８を構成する保持リング３２及びスナップリング３４のフィルタ布１６に対する装着構造を説明すると、図５に示すように、フィルタ布２０と同素材の連接布３６（連接布として特化した素材のものとすることは可能である）は保持リング３２を外周から巻き込むように折り返され、保持リング３２に近接した折り返し部分が筒状に縫着（縫合線（縫合糸）を３８にて示す）され、連接布３６の部位３６´（長さＬ）で縫着されていることが分かる。縫着部３６´より連接布３６の先の部分は隣接するフィルタ部分12, 14, 16の片方における筒状のフィルタ布２０の端部に挿入され、縫着される（縫着部を４０にて示す）。このようにしてフィルタ部分12, 14, 16を構成する濾布の端部に保持リング３２を包囲しつつ強固に縫着することができる。他方、スナップリング３４については、フィルタ布２０と同素材又は別素材の連接布４２は、スナップリング３４を外周から巻き込むように折り返され、折り返し部分が筒状に縫着（縫合線（縫合糸）を４４にて示す）され、連接布４２の部位４２´（長さＬ´）で縫着されていることが分かる。縫着部４２´より後側の連接布４２の部分は隣接するフィルタ部分12, 14, 16における筒状のフィルタ布２０の端部に挿入され、縫着される（縫着糸を４６にて示す）。このようにしてフィルタ部分12, 14, 16を構成する濾布の端部にスナップリング３４を包囲しつつ強固に縫着することができる。
【００１９】
次に、連接具１８による隣接するフィルタ部分12, 14, 16の連結動作を説明すると、連結するフィルタ部分の端部における保持リング３２とスナップリング３４とを対向させる。本実施形態では、前述のように、スナップリング３４は外径が保持リング３２の内径と同一であるが、周囲を包囲する連接布４２の厚みまで考慮すると外径は、連接布３６を含めた保持リング３２の内径より大きくなっているが、スナップリング３４が適度な可撓性を持っているため、半径内方に凹ませつつスナップリング３４側のフィルタ部分の端部に押し込んでゆくことにより、図６に示すようにスナップリング３４は保持リング３２を潜り抜けさせ、保持リング３２及びスナップリング３４を介したフィルタ部分12, 14, 16の対向端部間の係合・圧嵌状態を得ることができる。この圧嵌状態では、片側のフィルタ部分のスナップリング３４は、相手側のフィルタ部分の縫着部分３６´において、弾性により本来の外径まで復帰拡開される。スナップリング３４が縫着部分３６´に丁度収まるように、スナップリング３４の軸長に対する縫着部分３６´の軸長Ｌ（図５）が設定されている。他方、保持リング３２はその高剛性により装着工程を通じてその内径を維持し、図６の嵌着状態ではスナップリング３２は、片側のフィルタ部分の連接布４２の縫着部分４２´を半径内方に屈曲させるようになっている。縫着部分４２´の長さＬ´（図５）は縫着部分４２´が図６に示すように屈曲されても、フィルタ布２０の部位においては本来の径に戻るように設定されている。このような、本発明に係る保持リング３２とスナップリング３４によるフィルタ部分間の連結は強固でありかつ流密を確保することができる。即ち、スナップリング３４の帯状素材で形成され、接続部における連接布36, 42の接触長さが圧嵌長となるが、これは基本的にはスナップリング３４を構成する金属帯材の幅により決まる。そして、接触長を必要分十分長く取れるため、流密が確保され、バグフィルタの通常の動作において被処理ガスが漏洩することはなく、また保持リング３２とスナップリング３４を介したフィルタ部分12, 14, 16の端部間の係合状態は、人力による単純な引張り力に対しては強力であり、逆洗時にバグフィルタの内部にパルス圧を加えた状態においてもフィルタ部分間の離脱が生ずることを確実防止することを可能とする。
【００２０】
フィルタ部分12, 14, 16の分離時は、スナップリング３４に半径内方に外力を加えることで、スナップリング３４を凹ませつつ両者を離間方向に引張ることによりスナップリング３４をして保持リング３２を潜り抜けさせることができ、これによりフィルタ部分12, 14, 16の分離が行なわれる。
【００２１】
本発明においては、バグフィルタを複数のフィルタ部分12, 14, 16により構成し、フィルタ部分12, 14, 16間を脱着可能な連接具１８により連接することにより、継ぎ足しによるバグフィルタの長尺化が容易に可能である。即ち、図１において、口元部１２と底部部１４は必須であるが（図４は口元部１２と底部部１４とを連接具１８で接続した最小構成を示す）、長さを継ぎ足したい場合は、中間部１６を必要長さ若しくは必要枚数数継ぎ足すことによりバグフィルタの全長を所望の値とすることができる。また、フィルタ部分12, 14, 16のうちの一部のフィルタ部分の機能が低下した場合に、機能が低下したフィルタ部分のみを交換することが容易に可能である。
【００２２】
また、本発明の別実施形態として、バグフィルタ各部の完全モジュール化（規格品化）が可能である。即ち、図１のセルプレート取付具１９及びフィルタ底部14-1も単独でモジュール化し、これをモジュール化した必要数の中間部にて一連連結する構成とすることができる。即ち、図７に示すようにこの実施形態のバグフィルタ５０は口元モジュール５２と、底部モジュール５４と、３個の中間モジュール５６とからなり、これらのモジュール52, 54, 56とは同一径のセルプレートに対して規格化されている。口元モジュール５２は、セルプレートに対する取付部１９を設けた短いものであり、底部モジュール５４も閉鎖底面54-1を設けただけの短いものである。中間モジュール５６は規格化され、一定長であり、必要なバグフィルタ長が得られる個数が使用される。モジュール52, 54, 56間の接続は本発明の接続具１８（図５及び図６）によりワンタッチ式に着脱自在となっている。規格化されたモジュール52, 54, 56はストックしておき、注文のフィルタ長さより決まる数の中間モジュール５６を口元モジュール５２及び底部モジュール５４と直列接続することにより、どのような長さのバグフィルタであってもユーザに即納することが可能となる。
【００２３】
図８はモジュール化構造の別実施形態を示し、セルプレートにマイクロバンドで取り付けるタイプのバグフィルタ５０ａを示す。この実施形態において、バグフィルタ５０ａのモジュール化された底部モジュール５４と中間モジュール５６（図では３個であるがバグフィルタの必要長さに応じた個数となっている）は図７の実施形態と同様であるが、口元モジュール５２ａはマイクロバンド７０によりセルプレート２８ａに取り付ける方式のものである。マイクロバンド７０によるセルプレート２８ａへの取付構造の場合、セルプレート２８ａはバグフィルタの取り付けのための下向き筒状取付部28a-1を備えており、バグフィルタ５０ａの口元モジュール５２ａにおける濾布部分は、図９に示すように、セルプレート２８ａの筒状取付部28a-1に挿入され、マイクロバンド７０により固定される。マイクロバンド７０は、いくつかのタイプのものが公知であるが、この実施形態においては、図９に示すように薄肉帯状金属にて形成された締結バンド７２と締結バンド７２の各端部に溶接固定された一対のラグ74, 76と、止めねじ７８とを備え、止めねじ７８は片方のラグ７６にフリーに挿通され、止めねじ７８の先端ねじ部78-1が対向したラグ７４に螺合される。止めねじ７８の頭部のナット部78-2を回して行くことにより締結バンド７２が締まり、セルプレート２８ａの筒状取付部28a-1へのバグフィルタ５０ａの取付を行なうことができる。
【００２４】
図１０は本発明の別実施形態を示しており、この実施形態においても、図１の実施形態と同様に、バグフィルタ１１０は、口元部１１２と、底部１１４と、中間部１１６との直列接続された３つのフィルタ部分112, 114, 116から構成され、フィルタ部分112, 114, 116間を直列にかつ離脱可能に嵌着方式にて連結する連接具１１８を備える。連接具１１８の構成は図５及び図６で説明した連接具１８と同様に構成可能である。相違点は、この実施形態にといては、フィルタ部分112, 114, 116を構成するフィルタ布１２０（図１１及び図１２）はプリーツを形成している点が相違する。バグフィルタ用濾布のプリーツ形成については各種提案されており、適宜の方法を採用でき、一例を上げれば、周知の本出願人と同一出願人に係る特許文献２の明細書に記載のように行なうことができる。即ち、プレーンな濾布はプリーツ成形機を通すことによりプリーツ形状に賦形され、プリーツ形状を保持するためプリーツの山及び谷を縫製により強化することができる。また、別のプリーツ形状賦与方式としては、特許文献３のように濾布に熱硬化樹脂を含浸させた形でプリーツ成形機を通し、プリーツ賦与の際に、樹脂の熱硬化温度まで加熱も同時に行なうことにより、プリーツ形状を保持するようにすることもできる。尚、図１０の実施形態において、連接具１１８との接続部位120’においてはフィルタ布１２０を縫製により平坦状に潰すことで（特許文献３）、図５の連接布36, 42とのスムースな連接（縫着）が可能となる。
【００２５】
図１０の実施形態においても、本発明により、フィルタ部分112, 114, 116間の連接具１１８による離脱可能嵌着構造により、プリーツ構造のバグフィルタにおいても継ぎ足しによる長さ調製が簡易に可能となる。また、フィルタ部分毎の交換も簡便に実施することができる。本発明をプリーツ構造に採用した場合の効果として、フィルタ部分112, 114, 116間でプリーツの山数を変化させることができる。例えば、バグフィルタでは底部側でのダストの捕集量が少なくなるため、このフィルタ部分１１４でプリーツの山数（図１２）を他のフィルタ部分112, 116（図１１）より少なくすることで、コストダウンを実現しつつトータルでの捕集効率は維持することができる。
【００２６】
また、プリーツ構造以外にも、濾材をヒダ折りし円筒状に構成したフィルタ構造のものについても本発明の思想は同様に適用可能である。
【符号の説明】
【００２７】
10, 110…バグフィルタ
12, 112…口元部
14, 114…底部
16, 116…中間部
18, 118…連接具
１９…セルプレート取付具
20, 120…フィルタ布
２８…セルプレート
３２…保持リング（本発明の第１の環状金属部材）
３４…スナップリング（本発明の第２の環状金属部材）
36, 42…連接布
36’, 42’… 連接布の縫着部分
38, 40, 44, 46…縫合線
50, 50a…規格化されたバグフィルタ
５２…口元モジュール
５４…底部モジュール
５６…中間モジュール
７０…マイクロバンド
【図１】
2019042677.tif 000003
【図２】
2019042677.tif 000004
【図３】
2019042677.tif 000005
【図４】
2019042677.tif 000006
【図５】
2019042677.tif 000007
【図６】
2019042677.tif 000008
【図７】
2019042677.tif 000009
【図８】
2019042677.tif 000010
【図９】
2019042677.tif 000011
【図１０】
2019042677.tif 000012
【図１１】
2019042677.tif 000013
【図１２】
2019042677.tif 000014